【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
本来の大動脈弁を交換するための装置であって、
閉塞された端部を有する拡張可能な編物を含み、血管内から給送され且つ前記本来の大動脈弁内の固定部位に固定されるようになされたアンカーと、
前記アンカー内に固定される形状とされた交換弁とを含み、
前記編物が血管内からの配備中に能動的に短縮する形状とされており、
前記アンカーが当該アンカーの末端に設けられた末端配備装置を含んでおり、前記末端の配備装置の境界部が前記配備装置が前記アンカーを短縮させるために当該アンカーの末端に基端方向の力をかけるのを許容するようになされている装置。
【請求項２】
請求項１に記載の装置であって、
前記アンカーが中心軸線を有し、更に、当該中心軸線に向かってほぼ径方向内方へ向けられた０．５ａｔｍ以下の圧力に応答して実質的に変形しない状態に維持される装置。
【請求項３】
請求項２に記載の装置であって、
前記アンカーが更に、前記中心軸線に向かってほぼ径方向内方へ向けられた２ａｔｍ以下の圧力に応答して実質的に変形しない状態に維持される装置。
【請求項４】
請求項１に記載の装置であって、
前記アンカーが、前記交換弁の両側の約２００ｍｍＨｇ以下の圧力に応答して前記アンカー部位に前記交換弁を支持するようになされている装置。
【請求項５】
請求項４に記載の装置であって、
前記アンカーが、前記交換弁の両側の約８０ｍｍＨｇ以下の圧力に応答して前記アンカー部位に前記交換弁を支持するようになされている装置。
【請求項６】
請求項１に記載の装置であって、
前記アンカーが、当該アンカー部位の脈動によって生じるアンカー材料の疲労の発生を低減するようになされた応力低減部材を含んでいる装置。
【請求項７】
請求項６に記載の装置であって、
前記編物が複数のセルを含んでおり、前記応力低減部材が前記アンカーの末端端縁又は基端端縁に一組のセルを含んでいる装置。
【請求項８】
請求項１に記載の装置であって、
前記編物が被覆力を低減するようになされた被覆機構を含んでいる装置。
【請求項９】
請求項８に記載の装置であって、
前記編物が複数のセルを含んでおり、前記被覆機構が、前記アンカーの基端端縁に一組のセルを含んでいる装置。
【請求項１０】
請求項１に記載の装置であって、
前記アンカーが拡張されたときに、前記編物が、第一の領域と、前記第一の領域よりも直径が大きい第二の領域とを含んでいる装置。
【請求項１１】
請求項１０に記載の装置であって、
前記編物が複数のセルを規定しており、前記第一の領域内の少なくとも第一の組のセルが、各々、前記第二の領域内の第二の組のセルと実質的に異なった形状である装置。
【請求項１２】
請求項１１に記載の装置であって、
前記アンカーが拡張されたときに、前記編物が更に、前記第一の領域の直径よりも大きな直径を有している第三の領域を更に含んでいる装置。
【請求項１３】
請求項１２に記載の装置であって、
前記第一、第二及び第三の領域が前記本来の動脈弁内で前記アンカーを中心決めするようになされている装置。
【請求項１４】
請求項１２に記載の装置であって、
前記編物が複数のセルを規定しており、前記第一の組のセルが、前記第一の領域内の第二の組のセル及び前記第三の領域内の第三の組のセルとは実質的に異なる形状である装置。
【請求項１５】
請求項１に記載の装置であって、
前記アンカーが更に冠状動脈小口との干渉を避けるようになされている装置。
【請求項１６】
請求項１に記載の装置であって、
前記アンカーが更に僧帽弁との干渉を避けるようになされている装置。
【請求項１７】
請求項１６に記載の装置であって、
前記編物が、前記僧帽弁内への前記アンカーの拡張を阻止するようになされた領域を含んでいる装置。
【請求項１８】
請求項１に記載の装置であって、
前記編物が、径方向において対称である拡張された形状を有する構造とされている装置。
【請求項１９】
請求項１に記載の装置であって、
前記編物が、左右対称である拡張された形状を有する構造とされている装置。
【請求項２０】
請求項１に記載の装置であって、
前記編物が対称である拡張された形状を有する構造とされている装置。
【請求項２１】
請求項１に記載の装置であって、
前記編物が、前記基端部分より大きなピッチを有している末端の細かいメッシュ部分を有している構造とされている装置。
【請求項２２】
請求項１に記載の装置であって、
前記編物が複数のセルを規定しており、少なくとも第一の組のセルが第二の組のセルと実質的に異なる構造である装置。
【請求項２３】
請求項２２に記載の装置であって、
前記アンカーが末端及び基端の端縁を含んでおり、前記第一の組のセルが少なくと前記末端端縁又は基端端縁に設けられている装置。
【請求項２４】
請求項２３に記載の装置であって、
前記第一の組のセル内の各セルが、前記第二の組のセル内のセルよりも第一の方向においてより長い装置。
【請求項２５】
請求項２４に記載の装置であって、
前記第一の組のセルが、少なくとも前記基端端縁又は前記末端端縁にほぼ全てのセルを含んでいる装置。
【請求項２６】
請求項２３に記載の装置であって、
前記第一の組のセル内の各セルが、前記編物によって規定されている円筒形状から曲がった部分を有しており、前記第二のセル内の各セルが前記編物によって規定された円筒形状から曲がった部分を備えていない装置。
【請求項２７】
請求項２６に記載の装置であって、
前記第一の組のセルが、少なくとも前記基端端縁又は前記末端端縁にほぼ全てのセルを含んでいる装置。
【請求項２８】
請求項２３に記載の装置であって、
前記第一の組のセル内の各セルが前記セルの一方の側部に沿ってＷ字形状を形成するために内方への曲がり部分を含んでおり、前記第二の組のセル内の各セルはこのような曲がり部分を含んでいない装置。
【請求項２９】
請求項２８に記載の装置であって、
前記第一の組のセルが、少なくとも前記基端端縁又は前記末端端縁にほぼ全てのセルを含んでいる装置。
【請求項３０】
請求項２３に記載の装置であって、
前記第一の組のセル内の各セルがループを含んでおり、前記第二の組のセル内の各セルがかかるループを含んでいない装置。
【請求項３１】
請求項３０に記載の装置であって、
各ループが前記第一の組のセルの各セル内に非対称に配備されている装置。
【請求項３２】
請求項３０に記載の装置であって、
前記第一の組のセルが複数のループを含んでおり、前記第二の組のセルがこのような複数のループを含んでいない装置。
【請求項３３】
請求項３０に記載の装置であって、
前記第一の組のセル内の各セルが少なくとも前記基端端縁又は前記末端端縁にほぼ全てのセルを含んでいる装置。
【請求項３４】
請求項２３に記載の装置であって、
前記第一の組のセル内の各セルが数字８の形状のループを含んでおり、前記第二の組のセル内の各セルはこのようなループを含んでいない装置。
【請求項３５】
請求項３４に記載の装置であって、
前記第一の組のセルが、少なくとも前記基端端縁又は前記末端端縁にほぼ全てのセルを含んでいる装置。
【請求項３６】
請求項２３に記載の装置であって、
前記第一の組のセル内の各セルが心臓の形のループを含んでおり、前記第二の組のセル内の各セルがこのようなループを含んでいない装置。
【請求項３７】
請求項３６に記載の装置であって、
前記第一の組のセルが、少なくとも前記基端端縁又は前記末端端縁にほぼ全てのセルを含んでいる装置。
【請求項３８】
請求項２３に記載の装置であって、
前記第一の組のセルの各セルのワイヤ部分が少なくとも１つの位置に小さな断面直径を含んでおり、前記第二の組のセル内の各セルはこのような小さな断面直径を含んでいない装置。
【請求項３９】
請求項３８に記載の装置であって、
前記第一の組のセルが、少なくとも前記基端端縁又は末端端縁にほぼ全てのセルを含んでいる装置。
【請求項４０】
請求項２３に記載の装置であって、
前記第一の組のセル内の各セルが前記第二の組のセルに対する内方斜面を含んでいる装置。
【請求項４１】
請求項４０に記載の装置であって、
前記第一の組のセルが少なくとも基端端縁又は末端端縁にほぼ全てのセルを含んでいる装置。
【請求項４２】
請求項２３に記載の装置であって、
前記第一の組のセルが前記第二の組のセルに対する内方斜面を含んでいる装置。
【請求項４３】
請求項４２に記載の装置であって、
前記第一の組のセルが少なくとも基端端縁又は末端端縁にほぼ全てのセルを含んでいる装置。
【請求項４４】
請求項２３に記載の装置であって、
前記第一の組のセル内の各セルが前記アンカーを拡張状態に係止するようになされた係止部材を含んでいる装置。
【請求項４５】
請求項４４に記載の装置であって、
前記編物が更に、各々が前記第二の組のセルと実質的に異なる形状である第三の組のセルを更に含み、前記第三の組のセルの各々が、拡張された形状に前記アンカーを係止するために前記第一の組のセルと相互作用するようになされている装置。
【請求項４６】
請求項２２に記載の装置であって、
第二の組のセルと実質的に異なる形状を有している第三の組のセルを更に含んでいる装置。
【請求項４７】
請求項４６に記載の装置であって、
前記第一の組のセルが前記アンカーの末端に設けられており、前記第三の組のセルが前記アンカーの基端に設けられている装置。
【請求項４８】
請求項１に記載の装置であって、
前記アンカーが第一及び第二のワイヤーを含んでおり、当該第一のワイヤーの直径は更に、前記第二のワイヤーの直径よりも小さい装置。
【請求項４９】
請求項１に記載の装置であって、
前記アンカーが異なる材料によって作られた第一及び第二のワイヤーを含んでいる装置。
【請求項５０】
請求項１に記載の装置であって、
前記アンカーが、圧潰された給送形状と、静止形状と、拡張された配備形状とを有している装置。
【請求項５１】
請求項５０に記載の装置であって、
前記編物が、前記静止形状において熱硬化される形状記憶材料からなる装置。
【請求項５２】
請求項５０に記載の装置であって、
前記静止形状が圧潰された給送形状と拡張された配備形状との間にある装置。
【請求項５３】
請求項１に記載の装置であって、
前記編物の拡張を維持する構造とされた係止部材を更に含んでいる装置。
【請求項５４】
請求項１に記載の装置であって、
前記編物の拡張を維持する構造とされた複数の係止部材を更に含んでいる装置。
【請求項５５】
請求項５４に記載の装置であって、
前記複数の係止部材が更に、前記編物の拡張を複数の拡張程度に維持する構造とされている装置。
【請求項５６】
請求項１に記載の装置であって、
前記交換弁を前記アンカー内に支持するようになされた弁支持部材を更に含んでいる装置。
【請求項５７】
請求項５６に記載の装置であって、
前記編物の拡張を維持する構造とされた係止部材を更に含んでいる装置。
【請求項５８】
請求項５７に記載の装置であって、
前記係止部材が弁支持部材の伸長部を含んでいる装置。
【請求項５９】
請求項１に記載の装置であって、
前記末端の配備装置の境界部が更に、前記アンカーの末端に対して基端方向を向いた力の適用中に径方向に拡張するようになされている装置。
【請求項６０】
請求項５９に記載の装置であって、
前記末端の配備装置の境界部が更に、配備装置が、当該配備装置の如何なる部分も前記交換弁の中央穴内を通過させることなく前記アンカーの末端に力をかけるのを許容するようになされている装置。
【請求項６１】
請求項１に記載の装置であって、
前記アンカーが基端に基端配備装置を更に含んでおり、前記基端の配備装置の境界部が配備装置が前記アンカーを短縮させるために当該アンカーの基端に末端方向の力をかけるのを許容するようになされている装置。
【請求項６２】
請求項６１に記載の装置であって、
前記基端の配備装置の境界部が更に、前記アンカーの基端に末端方向の力をかけている間径方向に拡張するようになされている装置。
【請求項６３】
請求項６１に記載の装置であって、
前記基端の配備装置の境界部が更に、配備装置が複数の配備装置の指状部材によって前記アンカーの基端に末端方向の力をかけるのを許容するようになされている装置。
【請求項６４】
請求項１に記載の装置であって、
前記給送長さが約１５ｍｍ乃至約１５０ｍｍであり、前記配備長さが５ｍｍ乃至約４０ｍｍである装置。